(57)【特許請求の範囲】
【請求項１】
基材の表面に少なくとも２種類の印刷領域を備えた印刷物であって、
第１の印刷領域は、画線の長手方向に沿って所定の間隔をもって分断された分断画線を複数本備えて構成され、
第２の印刷領域は、法線方向に沿って所定の間隔をもって並列された複数の画線を含むユニット画線を備えて構成され、
前記第１の印刷領域の前記分断画線における分断する平均的な間隔に対し、前記第２の印刷領域の前記ユニット画線における前記法線方向の平均的な間隔が広く設定され、
前記分断画線における間隔と、前記ユニット画線における前記法線方向の間隔は、それぞれ埋め込まれる情報に対応して設定されていることを特徴とする印刷物において、
前記法線方向に沿って所定の間隔をもって並列された複数の画線を含むユニット画線を前記第２の印刷領域に印刷して印刷物を得る入出力手段と、
前記入出力手段で得た前記印刷物の前記第２の印刷領域に含まれるユニット画線の複製手段とを備え、
前記入出力手段は、演算部、記憶部、入力部、印刷部、表示部、プロセッサ部、及び通信インターフェースを備え、
前記入出力手段は、前記プロセッサ部に接続された光学的画像入力装置により前記第１の印刷領域に含まれる前記分断画線にて構成されるコードを識別する機能を有し、
さらに、前記第１の印刷領域において前記識別された前記コードの整合性があった場合のみ、前記入力部から得た秘文書及び秘文書に関する秘文書管理情報を演算部でユニット画線に符号化し、
前記ユニット画線と前記秘文書を前記第１の印刷領域の画線が印刷されている用紙に限り前記第２の印刷領域に出力可能な機能を有し、
前記複製手段は、演算部、記憶部、個人情報入力部、複製出力部、表示部、プロセッサ部、及び通信インターフェースを備え、
前記複製手段は、前記プロセッサ部に接続された光学的画像入力装置により前記第１の印刷領域に含まれる前記分断画線から構成されるコードを識別する機能と、前記プロセッサ部に接続された光学的画像入力装置により前記第２の印刷領域に含まれる前記ユニット画線から構成されるコードを識別する機能とを有し、
かつ、前記第１の印刷領域に含まれる前記分断画線から構成される前記コードの識別と、前記第２の印刷領域に含まれる前記ユニット画線から構成される前記コードの識別とを、同時又は連続して処理するそれぞれ２つの画像解析部を前記演算部に備え、
さらに、前記第２の印刷領域に含まれる前記ユニット画線から構成される前記コードが、前記秘文書管理情報の複製者との整合性があった場合のみ、複製の許可をする機能を有し、
さらに、前記識別された前記第１の印刷領域に含まれる前記分断画線から構成される前記コードの整合性があった場合のみ、前記第２の印刷領域に含まれる前記ユニット画線と前記秘文書を前記用紙に限り複製出力可能な機能を有することを特徴とする印刷物管理システム。
【請求項２】
基材の表面に少なくとも２種類の印刷領域を備えた印刷物であって、
第１の印刷領域は、画線の長手方向に沿って所定の間隔をもって分断された分断画線を複数本備えて構成され、
第２の印刷領域は、法線方向に沿って所定の間隔をもって並列された複数の画線を含むユニット画線を備えて構成され、
前記第１の印刷領域の前記分断画線における分断する平均的な間隔に対し、前記第２の印刷領域の前記ユニット画線における前記法線方向の平均的な間隔が広く設定され、
前記分断画線における間隔と、前記ユニット画線における前記法線方向の間隔は、それぞれ埋め込まれる情報に対応して設定されていることを特徴とする印刷物において、
秘文書作成者が入力部の操作を介して、秘文書管理情報並びに秘文書部のテキストを入出力手段の演算部に転送するステップと、
前記入出力手段の演算部が、入力された前記秘文書管理情報を符号化し、ユニット変換テーブルに基づいて、符号化した前記秘文書管理情報からユニット画線の生成を行うステップと、
前記秘文書作成者が前記入出力手段の入力部を介して、前記第２の印刷領域用のエレメントをデータベースから選択するステップと、
前記入出力手段の演算部が、前記第２の印刷領域用のエレメントのユニット画線格納領域に前記ユニット画線を生成し、前記秘文書部のテキストと合成してドキュメントファイルを作成するステップと、
あらかじめ、複数本の細画線の長手方向に沿って所定の間隔をもって分断された分断画線で構成した前記第１の印刷領域の画線が印刷されている用紙を、光学式画像入力装置にて画像データを得、前記入出力手段の演算部に転送するステップと、
前記入出力手段の演算部が、前記用紙から得た前記画像データからフーリエ変換画像を得るステップと、
前記入出力手段の演算部が、前記用紙中の前記第１の印刷領域の画線の構造をフーリエ変換画像のフーリエ変換パターンから解析し、地紋画線に施された固有情報を抽出するステップと、
前記入出力手段の演算部が、抽出された前記固有情報が記憶部のデータベースに登録されている固有情報と一致しているか否かを判定するステップと、
前記用紙を印刷部へ供給し、前記ドキュメントファイルを前記用紙上に印刷するステップとを備えることを特徴とする印刷方法。
【請求項３】
基材の表面に少なくとも２種類の印刷領域を備えた印刷物であって、
第１の印刷領域は、画線の長手方向に沿って所定の間隔をもって分断された分断画線を複数本備えて構成され、
第２の印刷領域は、法線方向に沿って所定の間隔をもって並列された複数の画線を含むユニット画線を備えて構成され、
前記第１の印刷領域の前記分断画線における分断する平均的な間隔に対し、前記第２の印刷領域の前記ユニット画線における前記法線方向の平均的な間隔が広く設定され、
前記分断画線における間隔と、前記ユニット画線における前記法線方向の間隔は、それぞれ埋め込まれる情報に対応して設定されていることを特徴とする印刷物において、
光学式画像入力装置によって前記印刷物の画像データを得るステップと、
前記印刷物から取得した前記画像データを、プロセッサ部を介して演算部へ転送するステップと、
複製手段の演算部が、前記印刷物から得た前記画像データに含まれる前記第２の印刷領域を切り出し、前記第２の印刷領域のフーリエ変換画像を得るステップと、
前記複製手段の演算部が、前記第２の印刷領域中のユニット画線の構造を前記フーリエ変換画像のフーリエ変換パターンから解析し、前記ユニット画線に施された秘文書管理情報を抽出するステップと、
複製者が個人情報入力部を介して、所望の個人情報の入力を行うステップと、
前記複製手段の演算部が、前記複製者の前記所望の個人情報が前記第２の印刷領域から抽出された前記秘文書管理情報及び記憶部のデータベースに登録されている複製許可に関する条件と一致しているか否かを判定するステップと、
前記複製手段の演算部が、秘文書から得た前記画像データからフーリエ変換画像を得るステップと、
前記複製手段の演算部が、前記フーリエ変換画像における前記第１の印刷領域のフィルタリングによって前記分断画線から成る高周波成分を除去し、前記第２の印刷領域と秘文書部のテキストが残存する秘文書ドキュメントファイルが作成されるステップと、
前記第１の印刷領域が印刷されている用紙を、光学式画像入力装置にて画像データを得て、入出力手段の演算部に転送するステップと、
前記入出力手段の演算部が、秘文書管理専用紙から得た前記画像データからフーリエ変換画像を得るステップと、
前記入出力手段の演算部が、前記用紙中の前記第１の印刷領域の構造を前記フーリエ変換画像のフーリエ変換パターンから解析し、前記第１の印刷領域に施された前記所望の個人情報を抽出するステップと、
前記入出力手段の演算部が、抽出された前記所望の個人情報が記憶部のデータベースに登録されている前記所望の個人情報と一致しているか否かを判定するステップと、
あらかじめ、複数本の細画線の長手方向に沿って所定の間隔をもって分断された分断画線で構成した前記用紙を複製出力部へ供給し、前記秘文書ドキュメントファイルを前記用紙上に複製を出力するステップとを備えることを特徴とする複製方法。
【発明の詳細な説明】
【技術分野】
【０００１】
本発明は、許可された条件を満たした場合のみ複製が可能となる印刷物管理専用紙及び印刷物管理方法に関するものである。
【背景技術】
【０００２】
近年のスキャナ、カラー複製機の普及に伴い、技術ノウハウ等を記載した文書、図面等の秘文書の不正な複製が容易となっており、これらの不正な複製による秘密情報の漏えいを阻止することが求められている。しかしながら、秘文書は活用すべき場合もあることから、許可された条件を満たした場合については、秘文書の複製を可能とすることが不可欠な場合もある。
【０００３】
すなわち、複製手段が秘文書に埋め込まれた複製禁止に関する情報を検知すると複製動作が停止するが、複製手段に対してバイオメトリクス等個人情報を入力し、あらかじめ定められた条件を満たした場合には、複製動作が再度開始される秘文書管理方法である。
【０００４】
このような秘文書管理方法として、プリンタから秘文書出力時に背景画像を出力し、背景画像中に文書の取扱に関する情報を埋め込む装置とその秘密情報を複製するときに文書の背景部に埋め込まれた情報を識別し、複製指示を行う場合の条件の整合性を確認した上で複製動作を開始する装置に関する先行技術がある。この技術では、背景部を格子状に形成し、その一つ一つの画素に二値データを与え、何らかの情報に対応させるものとなっている（例えば、特許文献１参照。）。
【０００５】
【特許文献１】特開２００３−２８０４６９
【発明の開示】
【発明が解決しようとする課題】
【０００６】
しかしながら、文献１記載の装置で出力される背景部に情報を埋め込んだ印刷物は、個々の微小な印刷画素に情報を埋め込む方法を用いていることから、安定した読み取りが困難であるという課題があった。
【０００７】
すなわち、上記記載の装置で出力した印刷部の背景部は薄いグレーとする必要があり、格子状に形成した一つ一つの画素に対して、しきい値（二値データのオンオフの境界となる値）の設定とそれに対する読み取りに安定性を持たせることが困難であった。
【０００８】
また、特許文献１に挙げた先行技術では、複製時に情報を埋め込んだ微細構造の劣化が生じ、複製物に対しては、前述の複製禁止機能が作用しないおそれがある。
【０００９】
さらに、複製物における情報を埋め込んだ微細構造の劣化により、秘密に関する秘文書管理情報７’を読み取ることが困難となり、複製に関する許可された条件等について、読み取りエラーが生じるおそれがある。
【課題を解決するための手段】
【００１０】
本発明は、基材の表面に少なくとも２種類の印刷領域を備えた印刷物において、第１の印刷領域は、複数本の細画線の長手方向に沿って所定の間隔をもって分断された分断画線で構成され、第２の印刷領域は、法線方向に沿って所定の間隔をもって並列された複数の画線を含むユニット画線から構成され、前記第１の印刷領域の前記分断画線における分断する平均的な間隔に対し、前記第２の印刷領域の前記ユニット画線における前記法線方向の平均的な間隔が広く設定され、前記分断画線における間隔と、前記ユニット画線における前記法線方向の間隔は、それぞれ埋め込まれる情報に対応して設定され、前記第１の印刷領域の前記分断画線の色インキは、前記第２の印刷領域の前記ユニット画線より高明度の色インキで印刷されていることを特徴とする印刷物である。
【００１１】
本発明は、前記第１の印刷領域は、前記分断画線から成る地紋画線が構成され、前記第２の印刷領域は、前記ユニット画線を含む彩紋エレメントが構成され、前記地紋画線の前記分断画線は、５０μmから２００μmまでの間隔を有する分断画線から構成され、前記彩紋エレメントの前記ユニット画線は、並列された複数の画線の間隔が２００μmから１，０００μmまでで構成され、前記分断画線における間隔と、前記ユニット画線における前記法線方向の間隔は、それぞれ埋め込まれる情報に対応して設定されていることを特徴とする前記印刷物である。
【００１２】
本発明は、それぞれ２種類の印刷領域を光学式入力装置にてそれぞれの画像データを得て、前記第１の印刷領域の画像データをフーリエ変換されて得られるフーリエ変換パターンと、前記第２の印刷領域の画像データをフーリエ変換されて得られるフーリエ変換パターンとの相関にて識別可能であることを特徴とする前記刷物である。
【００１３】
本発明は、あらかじめ、複数本の細画線の長手方向に沿って所定の間隔をもって分断された分断画線で構成した地紋画線が印刷されている用紙において、前記用紙に、法線方向に沿って所定の間隔をもって並列された複数の画線を含むユニット画線を印刷して印刷物を得る入出力手段Ｍ１と、前記入出力手段Ｍ１で得た前記印刷物の複製手段Ｍ２とを備え、  前記入出力手段Ｍ１は、演算部１１、記憶部１２、入力部１３、印刷部１４、表示部１５、プロセッサ部１６、及び通信インターフェース９を備え、  前記入出力手段Ｍ１は、前記プロセッサ部１６に接続された光学的画像入力装置１０により前記分断画線にて構成されるコードを識別する機能を有し、さらに、前記識別された前記コードの整合性があった場合のみ、前記入力部１３から得た秘文書及び秘文書に関する秘文書管理情報７’を演算部２１でユニット画線に符号化し、前記ユニット画線と前記秘文書を前記用紙に限り出力可能な機能を有し、前記複製手段Ｍ２は、演算部２１、記憶部２２、個人情報入力部２３、複製出力部２４、表示部２５、プロセッサ部２６、及び通信インターフェース９を備え、前記複製手段Ｍ２は、前記プロセッサ部２６に接続された光学的画像入力装置２８により前記分断画線から構成されるコードを識別する機能と、前記プロセッサ部２６に接続された光学的画像入力装置２７により前記ユニット画線から構成されるコードを識別する機能とを有し、さらに、前記ユニット画線から構成される前記コードが、前記秘文書管理情報７’の複製者との整合性があった場合のみ、複製の許可をする機能を有し、さらに、前記識別された前記分断画線から構成される前記コードの整合性があった場合のみ、前記ユニット画線と前記秘文書を前記用紙に限り複製出力可能な機能を有することを特徴とする印刷物管理システムである。
【００１４】
本発明は、秘文書作成者が入力部１３の操作を介して、前記秘文書管理情報７’並びに前記秘文書部７のテキストを演算部１１に転送するステップと、管理情報解析部１１ａが、前記入力された前記秘文書管理情報７’を符号化し、ユニット変換テーブルに基づいて、符号化した前記秘文書管理情報７’からユニット画線５の生成を行うステップと、前記秘文書作成者が入力部１３を介して、彩紋エレメント６をデータベースから選択するステップと、画像処理部１１ｂが、前記ユニット画線を、前記彩紋エレメント６のユニット画線格納領域に前記ユニット画線５を生成し、前記秘文書部７のテキストと合成してドキュメントファイルを作成するステップと、あらかじめ、複数本の細画線の長手方向に沿って所定の間隔をもって分断された分断画線で構成した地紋画線が印刷されている用紙を、光学式画像入力装置１０にて画像データを得て、前記演算部１１に転送するステップと、地紋画像処理部１１ｃが、前記用紙から得た前記画像データからフーリエ変換画像を得るステップと、地紋解析部１１ｄが、前記用紙中の地紋画線２の構造をフーリエ変換画像のフーリエ変換パターンから解析し、前記地紋画線２に施された固有情報を抽出するステップと、判定部１１ｅが、抽出された前記固有情報が記憶部１２のデータベースに登録されている固有情報と一致しているか否かを判定するステップと、前記専用紙を印刷部へ供給し、前記ドキュメントファイルを前記用紙上に印刷するステップとを備えることを特徴とする印刷方法である。
【００１５】
本発明は、複数本の細画線の長手方向に沿って所定の間隔をもって分断された分断画線で構成された地紋画線と、法線方向に沿って所定の間隔をもって並列された複数の画線を含むユニット画線で構成された彩紋エレメントと、秘文書部とが印刷された印刷物において、前記印刷物を光学式画像入力装置２７にて画像データ１７を得るステップと、前記印刷物から取得した画像データ１７を、プロセッサ部２６を介して演算部２１へ転送するステップと、彩紋画像処理部２１ａが、前記印刷物から得た画像データ１７に含まれる彩紋エレメント部１８を切り出し、前記彩紋エレメント部１８のフーリエ変換画像を得るステップと、彩紋解析部２１ｂが、前記彩紋エレメント部１８中のユニット画線５の構造を前記フーリエ変換画像のフーリエ変換パターンから解析し、前記ユニット画線５に施された秘文書管理情報７’を抽出するステップと、複製者が個人情報入力部２３を介して、個人情報の入力を行うステップと、複製許可判定部２１ｃが、前記複製者の前記個人情報が前記彩紋エレメント部１８から抽出された前記秘文書管理情報７’及び記憶部２２のデータベースに登録されている複製許可に関する条件と一致しているか否かを判定するステップと、地紋画像処理部２１ｄが、前記秘文書から得た前記画像データからフーリエ変換画像を得るステップと、地紋フィルタリング部２１ｆが、前記フーリエ変換画像の地紋フィルタリングによって地紋部１９を除去し、彩紋エレメント部１８と秘文書部２０が残存する秘文書ドキュメントファイルが作成されるステップと、あらかじめ、複数本の細画線の長手方向に沿って所定の間隔をもって分断された分断画線で構成した地紋画線が印刷されている用紙を、光学式画像入力装置２８にて画像データを得、前記演算部２１に転送するステップと、地紋画像処理部２１ｄが、秘文書管理専用紙１から得た前記画像データからフーリエ変換画像を得るステップと、地紋解析部２１ｅが、前記用紙中の地紋画線２の構造をフーリエ変換画像のフーリエ変換パターンから解析し、前記地紋画線２に施された固有情報を抽出するステップと、判定部２１ｇが、抽出された前記固有情報が記憶部１２のデータベースに登録されている固有情報と一致しているか否かを判定するステップと、前記用紙を複製出力部２４へ供給し、前記秘文書ドキュメントファイルを前記専用紙上に複製を出力するステップとを備えることを特徴とする複製方法である。
【発明の効果】
【００１６】
５０μmから２００μmまでの間隔から成る分断画線で構成した地紋印刷を施した紙を秘文書管理専用紙１として用い、その上に秘文書を印刷することにより、秘文書を複製しようとすると、複製機の動作を停止させることが可能となる。本手法は分断画線の周期性を、フーリエ変換法等を用いて識別を行うことから、従来技術のように格子状に配列した網点上における印刷画素の有無に基づく読み取りと比べ、読み取りの安定性を大幅に向上させることができる。
【００１７】
また、本発明では、複製物に対しても、複製に関する制限がなされなければならない。そのためには、複製出力用の紙として、秘文書管理専用紙１を用いることを必須としている。具体的には、図１に示すような秘文書管理専用紙１に施した地紋画線２は、５０μmから２００μmの間隔から成る分断画線で構成されている。秘文書原本の画像を取得し、フーリエ変換を行うと、図２（１）に示すように地紋画線２は周波数qd1に示すように高周波領域に現れる。そこで、図２（２）のようにローパスフィルタ等で高周波成分を除去し、逆フーリエ変換を行うと、秘文書から取得した画像から地紋画線２の画像を除去し、図３のように秘文書部７そのもののみの画像を残すことができる。そして、秘文書部７のみを秘文書管理専用紙１に出力することにより、複製物についても、複製に関する制御を施すことができる。
【００１８】
さらに、秘文書作成時に埋め込んだ秘文書管理情報７’については、図１に示す彩紋エレメント６の拡大部Ｂのように２００μmから１０００μmまでの間隔から成る並行万線により構成されていることから、情報を劣化させることなく図３のような状態で複製することが可能である。したがって、本発明の許可された条件でのみ秘文書の複製を可能とし、かつ、複製された秘文書に対して、複製制御に関する埋め込まれた情報が保全されるという目的を達成することが可能となる。
【発明を実施するための最良の形態】
【００１９】
本発明の実施の形態について説明する。本発明の秘文書管理システムは、図４に示すように、秘文書管理専用紙１、秘文書入出力手段Ｍ１、秘文書複製手段Ｍ２から構成される。
【００２０】
秘文書管理専用紙１は図１のように紙全面に薄い、例えばグレー等の高明度の色インキで地紋画線２があらかじめ施されている印刷物である。この地紋画線２は拡大部Ａ−１に示すように、５０μmから２００μmまでの間隔を有する分断画線４から構成されている。これらの分断画線３の間隔は５０μmから２００μmという肉眼で視認が困難な大きさであることから、一本の直線として認識されることに特徴がある。したがって、本方法は電子透かし等の他の情報埋め込み方法と比べて、地紋の持つ美術性を損なわないこと及び情報識別時にフーリエ変換法という入手が容易で簡便な方法で強い信号を識別できる部分に利点を有している。
【００２１】
なお、分断画線３の設定方法には、２種類ある。一つは、図１拡大部Ａ−１のように地紋すべてを同一間隔の分断画線３で配列する方法又は図１拡大部Ａ−２の分断画線３、４のように同一間隔の配列した分断画線を複数配置する方法である。もう一つは、図５のようなユニット（繰り返し周期）３’及び４’を構成し、例えば“１４６”のような数字で構成されるコードデータに対応させる方法である。ここで、開始識別子“＊”と終了識別子“＃”を用意しておく必要がある。これは、例えば後述の周波数解析、例えば、フーリエ変換法により識別を行う場合、コード“１４６”を形成するユニット３’とコード“６４１”を形成するユニット４’のように逆の順番に並んだコードを識別可能とするためである。なお、それぞれ、ユニット３’を有する図５拡大部Ａ−３、ユニット４”を有する図５拡大部Ａ−４に対応したフーリエ変換パターンは、図６（１）、図６（２）のとおりである。これらのフーリエ変換パターンの特徴を識別することにより、埋め込んだ情報を読み取ることが可能となる。
【００２２】
このように構成した分断画線は秘文書管理専用紙１の種別、例えば秘文書管理専用紙１の保有者に関する情報を表すことが可能である。その上で、秘文書管理専用紙１をコードに対応した組織等に限定して配付することとする。
【００２３】
秘文書入出力手段Ｍ１では、秘文書及び秘文書に関する秘文書管理情報７’を入力し、これらの情報を秘文書管理専用紙１に限り、出力可能な機能を持っている。すなわち、秘文書を印刷するプリンタの給紙トレイからプリンタの印刷部へ紙を供給するときに、光学的画像入力装置１０により前記分断画線から構成されるコードを識別する機能を持っている。そして、秘文書管理専用紙１上のコードと秘文書入出力手段Ｍ１の条件に整合性があった場合のみ秘文書管理専用紙１が印刷部へ供給されることとなっている。
【００２４】
さらに、秘文書管理情報７’として、秘文書作成者、秘文書複製者、秘文書作成日、秘文書解除日等を入力し、これらの情報の符号化を行った上で、図１拡大図Ｂに示すような、法線方向に沿って所定の間隔をもって並列された並行万線から成る彩紋エレメント６を編集し、出力する。ここで、彩紋エレメント６の並行万線は並行万線の間隔が２００μmから１，０００μmまでで構成したユニット画線５を有しており、画線作成の基となるコードと並行万線の間隔を対応させておく。また、秘文書の一部に意匠性を高めるための他の装飾用エレメント８を加えても良い。
【００２５】
図７に“２６４”と“８３１”を埋め込んだ場合の同一の彩紋エレメント６’及び６”を示す。拡大部Ｂ−１及び拡大部Ｂ−２のように、ユニット画線５’とユニット画線５”は、視覚的にわずかな相違を認めることができる。しかしながら、これらの模様は、美術的には、同一の模様として認識することができる。言い換えれば、人は並行万線の配列が２００μmから１，０００μmまでの範囲で変化したとしても、感覚的には、同一のデザインとして認識する。以上のことから、本技術は低解像度であっても、強いシグナルを識別でき、また、美術性を損なわずに情報の埋め込みが可能となる。また、この彩紋エレメント６’及び６”を何度複製しても情報の劣化が生じない部分にも大きな利点がある。
【００２６】
秘文書を複製する場合、図７に示す彩紋エレメント６’及び６”に埋め込まれた秘文書管理情報７’を図８（１）及び図８（２）に示すフーリエ変換パターンを用いて検知すれば、個人情報との相関チェックに基づく許可された複製の起動等の必要な制御が可能となる。
【００２７】
秘文書入出力手段Ｍ１は、図９のように、演算部１１、記憶部１２、入力部１３、印刷部１４、表示部１５、プロセッサ部１６、通信インターフェース９を備えている。
【００２８】
演算部１１は、処理に必要な演算の全てを行うもので、管理情報解析部１１ａ、彩紋画像処理部１１ｂ、地紋画像処理部１１ｃ、地紋解析部１１ｄ、判定部１１ｅを有し、記憶部１２、入力部１３、印刷部１４、表示部１５、プロセッサ部１６、光学式画像入力装置１０に接続されている。
【００２９】
管理情報解析部１１ａは、秘文書管理情報７’、すなわち秘文書作成者、秘文書複製者、秘文書作成日、秘文書解除日のいずれかの情報を符号化し、符号化した個人情報からユニット変換テーブルに基づいてユニット画線５を生成する。
【００３０】
彩紋画像処理部１１ｂは、彩紋エレメント６のユニット画線格納領域にユニット画線を施す処理を行う。
【００３１】
地紋画像処理部１１ｃは、秘文書管理専用紙１から画像データを取得し、フーリエ変換画像を得る処理を行う。
【００３２】
地紋解析部１１ｄは、フーリエ変換画像のフーリエ変換パターンからユニット画線の構造を解析する処理を行う。ただし、フーリエ変換は一例に過ぎず、ユニット画線５の構造を周波数解析できる方法であれば、フーリエ変換に限るものではない。
【００３３】
判定部１１ｅは、地紋解析部１１ｄの解析結果に基づいて記憶部１２のデータベースに登録されている秘文書管理専用紙１を所有している組織の情報と一致しているかどうかを判定する処理を行う。
【００３４】
記憶部１２は、彩紋エレメント６の演算に必要な各種データ及びその演算結果、更にはあらかじめ登録されてある彩紋エレメント６をデータベースとして保存している。このデータベースには、それぞれの彩紋エレメント６のデータにユニット画線５の格納領域が設けられているものが登録されている。また、記憶部１２は地紋の読み取り処理に必要なデータや処理結果等を格納すると同時に、秘文書管理専用紙１を保有している組織の情報が登録されたデータベースとなっている。
【００３５】
入力部１３は、秘文書作成者が作成時に、秘文書部７のテキストの他に、作成者名、複製者名、作成日及び解除日等の秘文書管理情報７’を入力可能となっている。また、入力部１３は出力する彩紋エレメント６を選定することが可能となっている。
【００３６】
印刷部１４は、前記秘文書管理情報７’を含む彩紋エレメント６と秘文書部７とを合成したドキュメントファイルを印刷し、秘文書管理専用紙１の判定結果において、秘文書管理専用紙１を所有する組織と印刷物を出力する。
【００３７】
印刷部１５は、例えば、ＣＲＴ、液晶ディスプレイ、プリンタ等を少なくとも一つ有し、秘文書作成者に必要な情報を表示する。
【００３８】
プロセッサ部１６は、秘文書管理専用紙１をＣＣＤラインセンサ又はＣＣＤカメラ等の光学式画像入力装置１０にてスキャニング又は撮影し、入力された画像データを演算部１１に供給する。
【００３９】
通信インターフェース９は、前記秘文書管理情報７’をイントラネット、インターネット等のネットワークシステムを介し、必要に応じて通信する。
【００４０】
このような構成を備えた装置を用いて、彩紋エレメント６を作成する方法の手順を図１０のフローチャートを用いて説明する。
【００４１】
ステップＳ１に示されたように、秘文書作成者が入力部１３の操作を介して、秘文書管理情報７’及び秘文書部７のテキストを演算部１１に転送する。
【００４２】
ステップＳ２として、入力された秘文書管理情報７’のうち、少なくとも一つの情報を所定の処理、例えば、表２及に示す十進数字の組合せから成る情報として、解析部１１ａが秘文書管理情報７’を符号化し、ステップＳ４へ移行する。
【００４３】
ステップＳ４として、表２に示したユニット変換テーブルに基づいて、符号化した秘文書管理情報７’からユニット画線５の生成を解析部１１ａが行い、ステップＳ５へ移行する。
【００４４】
ステップＳ３として、ステップＳ１にて秘文書作成者が入力部１３を介して、彩紋エレメント６に用いるためにあらかじめ登録されてある彩紋エレメントをデータベースから選択し、ステップＳ５へ移行する。
【００４５】
ステップＳ５において、ステップＳ４で秘文書管理情報７’から生成されたユニットを、ステップＳ３で選択した彩紋エレメント６のユニット画線格納領域にユニット画線５の生成を画像処理部１１ｂが行い、ステップＳ６へ移行する。
【００４６】
ステップＳ６として、画像処理部１１ｂが、ステップＳ５にてユニット画線の生成した彩紋エレメント６と、秘文書部７のテキストと合成する。この合成によって彩紋エレメント６と秘文書部７との体裁が整えられたドキュメントファイルを作成し、ステップＳ７へ移行する。
【００４７】
ステップＳ７では、ステップＳ６で作成されたドキュメントファイルが作成されたことに関する信号が、例えば、プリンタのフィーダ部の光学式画像入力装置１０に接続されたプロセッサ部１６へ転送され、ステップＳ８へ移行する。
【００４８】
ステップＳ８として、図１で示したように、秘文書管理専用紙１をＣＣＤラインセンサ又はＣＣＤカメラ等の光学式画像入力装置１０にてスキャニング又は撮影し、画像データを得る。
【００４９】
ステップＳ９として、光学式画像入力装置１０から得た画像データを演算部１１に転送する。
【００５０】
ステップＳ１０として、秘文書管理専用紙１から得た画像データを地紋画像処理部１１ｃにおいてフーリエ変換を行い、フーリエ変換画像を得、ステップＳ１１に移行する。
【００５１】
ステップＳ１１として、秘文書管理専用紙１中の画線の構造をフーリエ変換画像のフーリエ変換パターンから地紋解析部１１ｄが解析する。ただし、フーリエ変換を用いる方法はあくまでも一例であり、物理的にユニット画線の構造を解析できる方法であれば、フーリエ変換に限るものではない。
【００５２】
図１１のステップＳ１２において、図１０のステップＳ１１の解析結果から、地紋解析部１１ｄが地紋画線２に施された固有情報を抽出する。
【００５３】
ステップＳ１３として、抽出された固有情報が記憶部１２のデータベースに登録されている固有情報と一致しているか否か、判定部１１ｅが判定する。
【００５４】
そして、固有情報が記憶部１２のデータベースに登録されている固有情報と一致している場合、ステップＳ１４へ移行して、秘文書管理専用紙１の正当性を判定し、ステップＳ１５へ移行して、秘文書管理専用紙１を印刷部へ供給する。さらにステップＳ１６において、ドキュメントファイルを秘文書管理専用紙１上に印刷する。
【００５５】
一方、固有情報が、記憶部１２のデータベースに登録されている固有情報と一致していない場合はステップＳ１７へ移行して、給紙トレイに準備した紙は秘文書出力用の紙として正当ではないと判定する。
【００５６】
次に秘文書複製手段Ｍ２について説明する。秘文書複製手段Ｍ２は図１６のように演算部２１、記憶部２２、個人情報入力部２３、複製出力部２４、表示部２５、プロセッサ部２６、通信インターフェース９を備えている。
【００５７】
演算部２１は、処理に必要な演算のすべてを行うもので、彩紋画像処理部２１ａ、彩紋解析部２１ｂ、複製許可判定部２１ｃ、地紋画線画像処理部２１ｄ、地紋解析部２１ｅ、地紋フィルタリング部２１ｆ、秘文書管理専用紙１判定部２１ｇを有し、記憶部２２、個人情報入力部２３、複製出力部２４、表示部２５、プロセッサ部２６、光学式画像入力装置２７、光学式画像入力装置２８に接続されている。
【００５８】
彩紋画像処理部２１ａは秘文書から取得した画像データから彩紋エレメント６の切り出し処理を行う。さらに、本実施例に示されたように、切り出された画像データの彩紋エレメント６から、例えば、フーリエ変換画像を得る処理を行う。
【００５９】
彩紋解析部２１ｂは、秘文書から取得した画像データ１７から切り出し処理を行った彩紋エレメント部１８のフーリエ変換画像のフーリエ変換パターンからユニット画線５の構造を解析する処理を行う。ただし、フーリエ変換は一例に過ぎず、ユニット画線の構造を周波数解析できる方法であれば、フーリエ変換に限るものではない。
【００６０】
複製許可判定部２１ｃは、個人情報入力部２３から取得した個人情報が彩紋エレメント６に埋め込まれた秘文書管理情報７’にある複製者であるか否かの照合を行い複製の許可を判定する。
【００６１】
地紋画像処理部２１ｄは、秘文書又は秘文書管理専用紙１から取得した画像データ１７からフーリエ変換画像を得る処理を行う。
【００６２】
地紋解析部２１ｅは、フーリエ変換画像のフーリエ変換パターンから地紋画線２中の画線の構造を解析する処理を行う。ただし、フーリエ変換は一例に過ぎず、地紋画線２の構造を周波数解析できる方法であれば、フーリエ変換に限るものではない。
【００６３】
地紋フィルタリング部２１ｆは、秘文書から取得した画像データ１７のフーリエ変換パターンから地紋部１９に埋め込まれた分断画線から成る情報に相当する高周波成分を除去し、再度、逆フーリエ変換処理を行うことにより、地紋を除去する処理を行う。
【００６４】
秘文書管理専用紙１判定部２１ｇは、秘文書管理専用紙１のフーリエ変換パターンに対する地紋解析部２１ｅの解析結果に基づいて記憶部２２のデータベースに登録されている秘文書管理専用紙１を所有している組織の情報と一致しているかどうかを判定する処理を行う。
【００６５】
記憶部２２は、読み取り処理に必要なデータや処理結果を格納すると同時に、秘文書の秘文書管理情報７’が登録されたデータベースとなっている。
【００６６】
個人情報入力部２３は、例えば、バイオメトリクス、ＩＤカード等複製を起動させる者の個人情報入力装置２９を備えており、操作者からの入力を受け付けて個人情報を演算部２１に与える。
【００６７】
複製出力部２４は、地紋フィルタリング部２１ｆにおいて地紋を除去した画像のドキュメントファイルを作成し、複製物を出力する。
【００６８】
表示部２５は、例えば、ＣＲＴ、液晶ディスプレイ等を少なくとも一つ有し、操作者に複製許可の判定結果を表示する。
【００６９】
プロセッサ部２６は、秘文書をＣＣＤラインセンサ又はＣＣＤカメラ等の光学式画像入力装置２７にてスキャニング又は撮影し、入力された画像データ１７を演算部２１に供給する。
【００７０】
このような構成を備えた装置を用いて、秘文書を許可された条件でのみ複製する方法の手順を図１３のフローチャートを用いて説明する。
【００７１】
ステップＳ１８として、図４に示すように、秘文書をＣＣＤラインセンサ又はＣＣＤカメラ等の光学式画像入力装置２７にてスキャニング又は撮影を行い、画像データ１７を得る。
【００７２】
ステップＳ１９として、秘文書から取得した画像データ１７を、プロセッサ部２６を介して演算部２１へ転送する。
【００７３】
ステップＳ２０において、秘文書から得た画像データ１７に含まれる彩紋エレメント部１８を彩紋画像処理部２１ａが切り出しをする。なお、画像データ１７の切り出しは、本発明において、必要に応じて実施するものであり、また、画像処理アルゴリズムを何ら限定するものではない。
【００７４】
そして、彩紋エレメント部１８を切り出された画像データを、彩紋画像処理部２１ａにてフーリエ変換を行い、フーリエ変換画像を得、ステップＳ２１へ移行する。
【００７５】
ステップＳ２１として、彩紋エレメント部１８中のユニット画線５の構造をフーリエ変換画像のフーリエ変換パターンから彩紋解析部２１ｂが解析する。ただし、フーリエ変換を用いる方法はあくまでも一例であり、物理的にユニット画線５の構造を解析できる方法であれば、フーリエ変換に限るものではない。
【００７６】
ステップＳ２２において、ステップＳ２１の解析結果から、彩紋解析部２１ｂがユニット画線５に施された秘文書管理情報７’を抽出する。
【００７７】
ステップＳ２３として、複製の操作者がバイオメトリクスないしはＩＤカードを用いて個人情報の入力を行う。
【００７８】
ステップＳ２４として、ステップＳ２３において入力された複製者の情報が、ステップＳ２２において彩紋エレメント部１８から抽出された秘文書管理情報７’及び記憶部２２のデータベースに登録されている複製許可に関する条件と一致しているか否かを、複製許可判定部２１ｃが判定する。
【００７９】
そして、個人情報が、彩紋エレメント６に埋め込まれている個人情報及び記憶部２２のデータベースに登録されている複製条件と一致している場合は、ステップＳ２５へ移行し、秘文書複製が許可された条件であると判定し、一致していない場合は、ステップＳ２６へ移行し、秘文書複製は許可されていない条件であると判定する。
【００８０】
ステップＳ２５の秘文書複製可の判断結果を受け、ステップＳ２７において秘文書画像全体が取得される。
【００８１】
ステップＳ２８において、秘文書画像データのフーリエ変換を行い、地紋画線２の周期性の近傍に相当する高周波成分の除去を行い、除去により得られたフーリエ変換画像データの逆フーリエ変換を行うことにより、地紋のフィルタリングを行い、ステップＳ２９へ移行する。
【００８２】
ステップＳ２９において、地紋フィルタリングによって地紋部１９が除去され、彩紋エレメント部１８と秘文書部２０が残存する秘文書ドキュメントファイルが作成される。
【００８３】
続いて図１４に示すステップＳ３０において、複製出力部２４の給紙トレイに保管している秘文書管理専用紙１を、図４に示すようにＣＣＤラインセンサ又はＣＣＤカメラ等の光学的画像入力装置２８にてスキャニング又は撮影し、画像データを得る。
【００８４】
ステップＳ３１において、光学式画像入力装置２８から得た画像データを演算部２１に転送する。
【００８５】
ステップＳ３２において、秘文書管理専用紙１から得た画像データを地紋画像処理部２１ｄにおいてフーリエ変換を行い、フーリエ変換画像を得、ステップＳ３３へ移行する。
【００８６】
ステップＳ３３として、秘文書管理専用紙１中の地紋画線２の構造をフーリエ変換画像のフーリエ変換パターンから地紋解析部２１ｅが解析する。ただし、フーリエ変換を用いる方法はあくまでも一例であり、物理的にユニット画線の構造を解析できる方法であれば、フーリエ変換に限るものではない。
【００８７】
ステップＳ３４において、ステップＳ３３の解析結果から、地紋解析部２１ｅが地紋画線２に施された固有情報を抽出する。
【００８８】
ステップＳ３５として、抽出された固有情報が記憶部２２のデータベースに登録されている固有情報と一致しているか否か、秘文書管理専用紙１判定部２１ｇが判定する。
【００８９】
そして、固有情報が記憶部２２のデータベースに登録されている固有情報と一致している場合、ステップＳ３６へ移行して、秘文書管理専用紙１の正当性を判定し、ステップＳ３８において秘文書管理専用紙１を複製出力部２４へ供給し、ステップＳ３９において秘文書の複製が出力される。
【００９０】
一方、固有情報が記憶部２２のデータベースに登録されている固有情報と一致していない場合はステップＳ３７へ移行して、給紙トレイに準備した紙は秘文書出力用の紙として正当ではないと判定する。
【００９１】
このような本実施例に従い、秘文書管理専用紙１上に印刷した秘文書について、許可された操作者のみ複製可能とすることができる。
【００９２】
以上、本発明を実施例に基づいて説明したが、本発明はこのような実施例に限定されるものではなく、特許請求の範囲に記載された技術的事項の範囲内でいろいろな実施例があることは言うまでもない。
【図面の簡単な説明】
【００９３】
【図１】秘文書管理専用紙１の全体図。
【図２】分断画線から成る地紋画線２のフーリエ変換パターンを示した図。
【図３】地紋画線２の画像を除去し、彩紋エレメント６と秘文書部７のみの画像を示した図。
【図４】秘文書管理システムを示した図。
【図５】地紋画線２にユニット３’、４’を適用した秘文書管理専用紙１の全体図。
【図６】ユニット３’、４’から成る地紋画線２のフーリエ変換パターンを示した図。
【図７】ユニット画線５’、５”から成る彩紋エレメントを示した図。
【図８】ユニット画線５’、５”から成る彩紋エレメントのフーリエ変換パターンを示した図。
【図９】秘文書入出力手段Ｍ１の構成を示した図。
【図１０】秘文書入出力方法のフローチャートを示した図。
【図１１】秘文書入出力方法のフローチャートを示した図。
【図１２】秘文書複製手段Ｍ２の構成を示した図。
【図１３】秘文書複製方法のフローチャートを示した図。
【図１４】秘文書複製方法のフローチャートを示した図。
【符号の説明】
【００９４】
１            秘文書管理専用紙１
２            地紋画線
３            分断画線
３’            ユニット
４            分断画線
４’            ユニット
５            ユニット画線
５’            ユニット画線
５”            ユニット画線
６            彩紋エレメント
７            秘文書部
７’            秘文書管理情報
８            装飾用エレメント
９            通信インターフェース
１０            光学的画像入力装置
１１            演算部
１１ａ          管理情報解析部
１１ｂ          彩紋画像処理部
１１ｃ          地紋画像処理部
１１ｄ          地紋解析部
１１ｅ          判定部
１２            記憶部
１３            入力部
１４            印刷部
１５            表示部
１６            プロセッサ部
１７            画像データ
１８            彩紋エレメント部
１９            地紋
２１            演算部
２１ａ          彩紋画像処理部
２１ｂ          彩紋解析部
２１ｃ          複製許可判定部
２１ｄ          地紋画像処理部
２１ｄ          地紋画線画像処理部
２１ｅ          地紋解析部
２１ｆ          地紋フィルタリング部
２１ｇ          秘文書管理専用紙１判定部
２２            記憶部
２３            個人情報入力部
２４            複製出力部
２５            表示部
２６            プロセッサ部
２７            光学式画像入力装置
２８            光学式画像入力装置
２９            個人情報入力装置
Ｍ１            秘文書入出力手段
Ｍ２            秘文書複製手段
【図１】
0004639268.tif 000002
【図２】
0004639268.tif 000003
【図３】
0004639268.tif 000004
【図４】
0004639268.tif 000005
【図５】
0004639268.tif 000006
【図６】
0004639268.tif 000007
【図７】
0004639268.tif 000008
【図８】
0004639268.tif 000009
【図９】
0004639268.tif 000010
【図１０】
0004639268.tif 000011
【図１１】
0004639268.tif 000012
【図１２】
0004639268.tif 000013
【図１３】
0004639268.tif 000014
【図１４】
0004639268.tif 000015